(57)【特許請求の範囲】
【請求項１】
撮影光学系に外部光が入射するのを遮断する暗幕を垂れ掛ける一対の支柱が装置本体に取り付けられ、
前記装置本体に、前記支柱を取り付けるための支柱取付け部が設けられ、
前記支柱は、前記支柱取付け部に対して着脱可能であり、かつ略垂直方向に延びる直立部と略水平方向に延びて暗幕を垂れ掛けるための暗幕垂れ掛け部とを有することを特徴とする眼科撮影装置。
【請求項２】
前記装置本体が、ベースと、前記撮影光学系を内蔵しかつ前記ベースに対して前後動される撮影光学系本体部とから構成され、前記支柱取付け部および前記支柱が前記ベースに設けられていることを特徴とする請求項１に記載の眼科撮影装置。
【請求項３】
前記支柱がフレキシブルであることを特徴とする請求項１又は請求項２に記載の眼科撮影装置。
【請求項４】
前記支柱が伸縮可能又は折りたたみ可能であることを特徴とする請求項１又は請求項２に記載の眼科撮影装置。
【発明の詳細な説明】
【０００１】
【発明の属する技術分野】
本発明は、被検眼の撮影を行う眼底カメラ、角膜内皮撮影装置、眼科撮影光学系を複合的に有する眼圧計、角膜厚さ測定機、眼屈折力測定機等の眼科撮影装置に関する。
【０００２】
【従来の技術】
被検眼の撮影を行う眼科撮影装置として、例えば被検眼の眼底を観察・撮影する眼底カメラが知られている。この眼底カメラは、被検眼に照明光を照射して眼底を観察・撮影するものであるが、外部からの余分な光（外部光）が前眼部で反射されて眼底カメラの撮影光学系内に入射してしまうと、眼底の観察がしにくくなったり、撮影写真に余分な光が入りこんで不鮮明となってしまう等の不都合が生じる。
【０００３】
そのため、撮影前に、眼底カメラの正面側すなわち被検眼に臨む対物レンズのある側に暗幕を垂れ掛け、暗幕の内側を暗くして、被検者の顔に外部光があたらないようにして、眼底の観察・撮影を行っている。
【０００４】
従来、この眼底カメラでは、適当な支柱と、支柱をテーブルに固定するための適当なクランプ（支柱固定部材）を探してきて準備し、図１０に示すように、クランプ２６を用いてテーブル２０に支柱２１を固定して、その支柱２１に暗幕２２を垂れ掛けることにより、暗幕２２の内側を暗くして遮光空間２５を形成している。
【０００５】
【発明が解決しようとする課題】
しかしながらこの従来の眼底カメラ２３では、適当な支柱２１とクランプ２６とを探してテーブル２０に固定しなければならないが、テーブル２０がそのクランプ２６を用いて支柱２１を容易に固定できる形状となっていない場合があるという問題がある。また、例え容易に固定できる形状となっていたとしても、クランプ２６を用いて支柱２１をわざわざテーブル２０に固定しなければならないので、暗幕２２の垂れ掛けに時間がかかってしまうという不都合もある。
【０００６】
例えば集団検診等において検診場所を移動する場合は、それぞれの検診場所で眼底カメラを設置する度に支柱２１をクランプ２６を用いてテーブル２０に固定しなければならないので、暗幕２２の垂れ掛けに時間がかかってしまうという不都合はより大きな問題となる。
【０００７】
本発明は、上記の事情に鑑みて為されたもので、適当な支柱やクランプを探す必要もなく、集団検診等においても簡単に短時間で暗幕を垂れ掛けることができて、検診場所の移動の際にも便利な眼科撮影装置を提供することを課題とする。
【０００８】
【課題を解決するための手段】
上記の課題を解決するために、本発明の請求項１に記載の眼科撮影装置は、撮影光学系に外部光が入射するのを遮断する暗幕を垂れ掛ける一対の支柱が装置本体に取り付けられ、前記装置本体に、前記支柱を取り付けるための支柱取付け部が設けられ、前記支柱は、前記支柱取付け部に対して着脱可能であり、かつ略垂直方向に延びる直立部と略水平方向に延びて暗幕を垂れ掛けるための暗幕垂れ掛け部とを有することを特徴とする。
請求項１の発明によれば、適当な支柱やクランプを探す必要もなく、集団検診等においても簡単に短時間で暗幕を垂れ掛けることができて、検診場所の移動の際にも便利である。
また、請求項１の発明によれば、支柱を取り付けるための支柱取付け部が装置本体に設けられ、支柱取付け部に対し支柱が着脱可能であるので、使用する際には装置本体に容易に支柱を取り付けることができ、また、持ち運びや移動の際には、装置本体から容易に支柱を取り外すことができる。さらに、支柱には装置本体に取り付けるための特別な構造を必要としない。さらに、支柱が、略垂直方向に延びる直立部と略水平方向に延びて暗幕を垂れ掛けるための暗幕垂れ掛け部とを有しているので、容易に暗幕を垂れ掛けて遮光空間を形成することができる。
【０００９】
請求項２に記載の眼科撮影装置は、請求項１に記載の眼科撮影装置において、ベースと、撮影光学系を内蔵しかつベースに対して前後動される撮影光学系本体部とから装置本体が構成され、前記支柱取付け部および支柱がベースに設けられていることを特徴とする。
【００１０】
請求項２の発明によれば、支柱がベースに設けられているので、撮影光学系本体部が前後動しても支柱は動くことなく安全である。
【００１３】
請求項３に記載の眼科撮影装置は、請求項１又は請求項２に記載の眼科撮影装置において、支柱がフレキシブルであることを特徴とする。
【００１４】
請求項３の発明によれば、支柱がフレキシブルであるので、自在に曲げることができて、暗幕で覆う部分すなわち遮光空間の大きさや形状を変えることができる。
【００１５】
請求項４に記載の眼科撮影装置は、請求項１又は請求項２に記載の眼科撮影装置において、支柱が伸縮可能又は折りたたみ可能であることを特徴とする。
【００１６】
請求項４の発明によれば、使用しない場合には支柱をコンパクトに収納することができて、持ち運びや移動の際に便利である。
【００１７】
【発明の実施の形態】
図１に、本発明の実施の形態に係る眼科撮影装置としての眼底カメラ３０を示す。この眼底カメラ３０の装置本体１は、ベース２の上に架台３が載せられて、検者がジョイスティック６を操作することにより、その架台３がベース２の上で前後左右にスライド可能となっている。
【００１８】
架台３の上には、ブラケット４ａを介して撮影光学系本体部４が設けられ、その撮影光学系本体部４の内部には、図示しない撮影光学系が内蔵されている。撮影光学系本体部４の正面Ｆ側すなわち被検者Ａに対面する側には対物レンズ８が設けられ、その対物レンズ８は被検者Ａの被検眼ａに臨まされている。反対側の背面Ｒ側には撮影カメラ５が設けられている。撮影光学系本体部４は、図１に矢印Xで示すようにブラケット４ａに対して前後に傾動されて、対物レンズ８の光軸の角度を変更できるようになっている。
【００１９】
撮影光学系本体部４の側面Ｓ側には、撮影光学系の焦点を調整するための合焦ハンドルと、必要に応じて撮影光学系の光路中にＩＲフィルタを挿脱するためのＩＲフィルタノブとが設けられている。また、撮影光学系本体部４、ブラケット４ａの側面Ｓ側には、着脱可能なテープ部材としての面ファスナー１７の一方が接着固定されていて、後述するように、面ファスナー１７の他方が縫い付けられた暗幕１５を着脱できるようになっている。
【００２０】
ベース２には、正面Ｆ側に顎受け９が設けられ、その顎受け９に顎が載せられるようになっている。また、その顎受け９には、顎受けの高さを調整するための顎受け調整ハンドル１０が設けられている。ベース２の正面Ｆ側には、さらに顎受け９の両側に一対の支柱取付け部１４が設けられ、その支柱取付け部１４に一対の支柱１３が取り付けられている。
【００２１】
支柱取付け部１４は、図２にその拡大図を示すようにベース２にネジで固定されている。支柱取付け部１４には上面側から支柱１３を取り付けるための取付け穴１４ａがあけられていて、その取付け穴１４ａの底面には、取付け穴１４ａよりも小径でかつ支柱取付け部１４の底部にまで貫通する貫通孔１４ｂがあけられている。
【００２２】
支柱１３は略円柱棒状のフレキシブルな部材であって、図３に示すように所望の箇所で曲げることができるようになっている。支柱１３は、所望の箇所で曲げられた結果、図１に示すように、支柱取付け部１４に取付けられた際に略垂直方向に延びる直立部１３ｇと略水平方向に延びて暗幕を垂れ掛けるための暗幕垂れ掛け部１３ｈとを有することとなる。支柱１３の一端には、図２に示すようにネジ穴１３ａがあけられている。支柱１３は、その一端が支柱取付け部１４の取付け穴１４ａに差し込まれ、支柱取付け部１４の底部側から貫通穴１４ｂを通して蝶ボルト１４ｃをネジ穴１３ａに締め付けることにより取り付けられるようになっている。
【００２３】
暗幕１５は外部光を遮断するためのものであって、例えば遮光性の高い厚手の布を材質としていて、光の反射を抑えるため黒色とされている。この暗幕１５は図１に示すように、支柱１３に垂れ掛けられることにより眼底カメラ３０の正面F側に遮光空間１６を形成し、その遮光空間１６内部への外部光を遮断する。
【００２４】
この暗幕は図４に示すように、装置面１５ｃと被検者面１５ｄとが開いた形状とされている。装置面１５ｃの側には暗幕１５の端面に沿って、面ファスナー１７の他方が縫い付けられている。この面ファスナー１７の一方は、装置本体１の固定部４ａ、可動部４ｂに接着固定されており、面ファスナー１７としては例えばマジックテープ（登録商標）等が用いられる。
【００２５】
暗幕１５には、一対の支柱１３が立てられている間隔と略その間隔を一致させて、装置面１５ｃから被検者面１５ｄに向かう方向に、支柱１３を挿入するために袋状とされた一対の支柱挿入部１５ｂが形成されている。
【００２６】
また、この暗幕１５には、装置本体１に装着した際にも、遮光空間１６の外部から顎受け調整ハンドル１０が容易に操作できるように、顎受け調整ハンドル１０に対応する部分に、顎受け調整ハンドル用孔１５ｅがあけられている。
【００２７】
次にこの眼底カメラ３０において、支柱１３に暗幕１５を垂れ掛ける手順について、図５に示すフローチャートに基づき説明する。
【００２８】
まず、眼底カメラ３０の装置本体１を所定の場所に設置する（Ｓ．１）。
【００２９】
次に、ベース２に取り付けられた一対の支柱取付け部１４に、図２に示すように蝶ボルト１４ｃを用いて一対の支柱１３を締め付けて取り付ける（Ｓ．２）。支柱１３を取り付けた後に、図３に示すように、必要な遮光空間１６の大きさ、形状に合わせて支柱１３を曲げる（Ｓ．３）。この際、支柱１３を被検者Ａに向かう方向、すなわち装置本体１の背面Ｒと反対の方向に向かうように曲げる。支柱１３はフレキシブルなので、所望の箇所で自在に曲げることができる。この支柱１３は、曲げられた結果、略垂直方向に延びる直立部１３ｇと略水平方向に延びて暗幕を垂れ掛けるための暗幕垂れ掛け部１３ｈとを有することとなる。
【００３０】
暗幕１５の装置面１５ｃから、支柱挿入部１５ｂに支柱１３を挿入しつつ、暗幕１５を支柱１３に垂れ掛ける（Ｓ．４）。支柱１３が、暗幕１５の支柱挿入部１５ｂに挿入されるので、暗幕１５が引っ張られてもずれてしまうことはない。
【００３１】
支柱１３を支柱挿入部１５ｂに挿入した後、暗幕１５の装置面側１５ｃに縫い付けられた面ファスナー１７と、装置本体１の撮影光学系本体部４、ブラケット４ａに接着固定された面ファスナー１７とを合わせて圧着させ、暗幕１５の装置面側１５ｃを装置本体１に固定する（Ｓ．５）。  以上のように暗幕１５を支柱１３に垂れ掛けることにより、装置本体１の正面Ｆ側に遮光空間１６が形成される。
【００３２】
続いて、被検眼ａの撮影を開始する（Ｓ．６）。まず被検者Ａの顎が、顎受け９に載せられる。被検眼ａの高さ位置を調整するため、顎受け調整ハンドル１０を操作して顎受け９の高さを調整する。被検眼ａは暗幕１５によって形成された遮光空間１６の内部に位置しているので、外部光が前眼部で反射されて眼底カメラ３０の撮影光学系内に入射してしまうことはない。
【００３３】
図示しない照明系により被検眼ａに撮影用の照明光を照射しつつ架台３を前後左右にスライドさせて調整し、かつ撮影光学系本体部４を前後に傾動させて調整して、対物レンズ８を被検眼ａに臨ませる。
【００３４】
合焦ハンドルを操作して撮影光学系の焦点調整を行い、必要に応じてＩＲフィルタノブを操作してＩＲフィルタを光路中に挿脱し、ジョイスティック６に設けられた撮影スイッチ７を押すことによって被検眼ａの撮影を行う。
【００３５】
暗幕１５には、架台３を前後左右にスライドさせたり撮影光学系本体部４を前後に傾動させたりしても、それらの動作に影響されないように大きさに余裕を持たせてあるので、引っ張られたりずれたりすることもなく問題はない。また、暗幕１５には、顎受け調整ハンドル用孔１５ｅがあけられているので、遮光空間１６の外部から顎受け調整ハンドル１０を容易に操作できて便利である。
【００３６】
なお、本実施の形態においては、支柱取付け部１４がベース２にネジで固定されているが、支柱取付け部１４が架台３に固定されていてもよい。それにより、架台３の前後左右のスライドに伴い、支柱１３と暗幕１５とがともにスライドするので、暗幕１５の大きさに余裕を持たせなくとも、架台３のスライドによって引っ張られたりずれたりすることがない。
【００３８】
［変形例１］
図６（ａ）に示すように、支柱１３の、支柱取付け部１４に取り付けられる端部近傍であって、支柱取付け部１４に取り付けた際に被検者Ａに対面する位置、すなわち支柱１３の曲げられた方向と同方向（図中矢印Ｙの方向）の位置に、部分的に平面部１３ｆが形成され、支柱取付け部１４にはネジ孔１４ｄがあけられていて、ネジ１４ｆを締め込んでネジ１４ｆの先端でその平面部１３ｆを押し付けて固定するようになっていてもよい。それにより、支柱１３が回転してしまうことなくしっかりと固定されるので、暗幕１５が動いてしまったりずれてしまうことがない。
【００３９】
［変形例２］
本実施の形態においては、支柱が略円柱棒状の部材とされているが、図６（ｂ）に示すように、略長方形断面形状の棒状部材１３ｂであってもよい。それにより、対応して形成された支柱取付け部１４’に支柱１３ｂを取り付けた際に、支柱１３ｂが回転することなくしっかりと固定されるので、暗幕１５が動いてしまったりずれてしまうことがない。
【００４０】
［変形例３］
図７に示すように、支柱１３ｃの一部が蛇腹１３ｃ’とされていてもよい。これにより、所望の箇所を曲げることがさらに容易となり、支柱に様々な材料を選択して用いることができる。なお、図中１３ｊは直立部であり、１３ｋは暗幕垂れ掛け部である。
【００４１】
［変形例４］
図８に示すように、支柱１３ｄが、リンク部１３ｅと固定フック１３ｅ’とを有して、そのリンク部１３ｅから、例えばアンテナ等のように伸縮可能なロッド部材としての直立部１３ｄと暗幕垂れ掛け部１３ｄ’’とが延びる構成とされていてもよい。この際、直立部１３ｄ’と暗幕垂れ掛け部１３ｄ’’とは、リンク部１３ｅの回動中心軸周りに回動可能であり、固定フック１３ｅ’により略９０°の角度で固定されるようになっている。これにより、支柱１３ｄの持ち運びや移動の際には、固定フック１３ｅ’を外しリンク部１３ｅを折りたたんで、ロッド部材としての直立部１３ｄ’と暗幕垂れ掛け部１３ｄ’’とを縮めてコンパクトに収納することができるので、便利である。
【００４２】
［変形例５］
図９に示すように、暗幕１５ｅの装置面側１５ｃが閉じた形状とされていて、その装置面側１５ｃにあけられた対物レンズ用孔１５ｆから対物レンズ８を挿入して被検眼ａに臨ませる構成とされていてもよい。この際、対物レンズ用孔１５ｆに挿入された対物レンズ８の外周から、例えば面ファスナーやゴム等により暗幕１５を巻き付けてもよい。これにより、装置本体１に面ファスナー１７を接着固定する必要がなくなる。
【００４３】
【発明の効果】
本発明に係る眼科撮影装置によれば、適当な支柱やクランプを探す必要もなく、集団検診等においても簡単に短時間で暗幕を垂れ掛けることができて、検診場所の移動の際にも便利であるという効果を奏する。
【図面の簡単な説明】
【図１】  本発明の実施の形態に係る眼底カメラの外観図である。
【図２】  図１に示す眼底カメラの支柱取付け部を示す拡大断面図である。
【図３】  図１に示す眼底カメラの支柱を、所望の箇所で容易に曲げることができる様子を示す図である。
【図４】  図１に示す眼底カメラの暗幕を示す外観図である。
【図５】  本発明の実施の形態に係る眼底カメラの撮影の準備を説明するフローチャートである。
【図６】  本発明に係る眼底カメラの変形例を示し、（ａ）は変形例２に係る眼底カメラの支柱と支柱取付け部近傍を示す図であり、（ｂ）は変形例３に係る眼底カメラの支柱と支柱取付け部を示す図である。
【図７】  本発明の変形例４に係る眼底カメラの支柱を示す図である。
【図８】  本発明の変形例５に係る眼底カメラの支柱を示す図である
【図９】  本発明の変形例６に係る眼底カメラの暗幕を示す図である。
【図１０】  従来の眼底カメラによる撮影準備の様子を示す図である。
【符号の説明】
Ａ…被検者
ａ…被検眼（被検者の眼）
Ｆ…正面
Ｒ…背面
Ｓ…側面
１…装置本体
２…ベース
３…架台
４…撮影光学系本体部
４ａ…ブラケット
５…撮影カメラ
６…ジョイスティック
７…撮影スイッチ
８…対物レンズ
９…顎受け
１０…顎受け調整ハンドル
１３、１３ｂ、１３ｄ、１３ｅ、２１…支柱
１３ａ…ネジ穴
１３ｃ…蛇腹
１３ｄ’…ロッド部材
１３ｅ…リンク部
１３ｅ’…固定フック
１３ｆ…平面部
１３ｇ、１３ｊ…直立部
１３ｈ、１３ｋ…暗幕垂れ掛け部
１４…支柱取付け部
１４ａ…取付け穴
１４ｂ…貫通孔
１４ｃ…蝶ボルト
１４ｄ…ネジ孔
１４ｆ…ネジ
１５、２２…暗幕
１５ａ…内面
１５ｂ…支柱挿入部
１５ｃ…装置面
１５ｄ…被検者面
１５ｅ…顎受けハンドル用孔
１６、２５…遮光空間
１７…面ファスナー
２０…テーブル
２３、３０…眼底カメラ（眼科撮影装置）
２４…被検者頭部
２６…クランプ（支柱固定部材）
【図１】
0004647798.tif 000002
【図２】
0004647798.tif 000003
【図３】
0004647798.tif 000004
【図４】
0004647798.tif 000005
【図５】
0004647798.tif 000006
【図６】
0004647798.tif 000007
【図７】
0004647798.tif 000008
【図８】
0004647798.tif 000009
【図９】
0004647798.tif 000010
【図１０】
0004647798.tif 000011